(57)【要約】      （修正有）【課題】挙上装置のフック部の先端に吊り紐が載置（係止）される不安定な状態となることを解消し、安全に吊り上げることを可能とするスリングシートを提供する。【解決手段】寝たままもしくは座った状態の被介護者の背側にあてがわれる基布体１１と、この基布体１１の周縁部に複数設けられ、その一端側と他端側とが基布体１１に取り付けられることで、挙上装置が備えるフック部に係止可能な環状領域を形成する平たい帯状の吊り紐１２とからなる。吊り紐１２は、その一面側より突出する位置矯正凸部１５を備える。位置矯正凸部１５は、吊り紐１２の一面側より突出する肉厚部材であって、帯状をした吊り紐１２の一面側の平面状態を、部分的に突出した凸状態とする。この位置矯正凸部１５によって吊り紐の一面がフック部の先端上に載置（係止）されることがなく、不安定な吊り下げ状態が作り出されることが回避される。【選択図】図１
0003189048.tif 000002
【実用新案登録請求の範囲】
【請求項１】
被介護者を挙上装置によって移動させるときに用いられるスリングシートであって、
寝たままもしくは座った状態の被介護者の背側にあてがわれる基布体と、
この基布体の周縁部に複数設けられ、その一端側と他端側とが前記基布体に取り付けられることで、前記挙上装置が備えるフック部に係止可能な環状領域を形成する平たい帯状の吊り紐とからなり、
前記吊り紐は、少なくとも一面側より突出する位置矯正凸部を備える、
ことを特徴とするスリングシート。
【請求項２】
前記吊り紐は、他面側より突出する位置矯正凸部をさらに備えることを特徴とする請求項１に記載のスリングシート。
【請求項３】
前記位置矯正凸部は、前記吊り紐に取り付けられた基端側から突出する先端側へ向かうに従い幅が狭くなっていることを特徴とする請求項１又は２に記載のスリングシート。
【請求項４】
前記位置矯正凸部は、断面形状が略三角形状をしていることを特徴とする請求項３に記載のスリングシート。
【請求項５】
前記吊り紐は、前記位置矯正凸部と一体となって断面形状が略円形状を呈するものであり、その周囲に回転自在である被覆部材を備えることを特徴とする請求項１又は２のいずれか１項に記載のスリングシート。
【請求項６】
前記位置矯正凸部は、前記吊り紐の長さ方向に沿う一部に設けられていることを特徴とする請求項１乃至５のいずれか１項に記載のスリングシート。
【請求項７】
前記位置矯正凸部は、前記吊り紐とは異なる色彩を呈していることを特徴とする請求項１乃至６のいずれか１項に記載のスリングシート。
【請求項８】
前記位置矯正凸部は、
前記吊り紐の一面側から他面側に向かって貫通することが可能な支軸部と、
前記支軸部が前記吊り紐から抜け落ちないように保持する軸止と、
を備え、
前記支軸部と前記軸止との組み合わせ又はその解除により、前記吊り紐に対して着脱自在であることを特徴とする請求項１乃至７のいずれか１項に記載のスリングシート。
【請求項９】
前記吊り紐は、一面側から他面側に向かって貫通する挿通孔を備えることを特徴とする請求項８に記載のスリングシート。
【考案の詳細な説明】
【技術分野】
【０００１】
本願考案は、スリングシートに係り、詳しくは、スリングシートの吊り紐が挙上装置（クレーン）のフック部から脱落してしまう虞を生じないように改良した技術に関する。
【背景技術】
【０００２】
近年、起伏や寝返りの困難な老人や病人、傷害者等の介護が大きな問題となっている。特に、少子高齢化社会の到来により、高齢者自身が介護者にならなければいけない事態があり、たとえば、高齢者が自身よりも高齢の者の介護を行う、いわゆる老−老介護が現実問題として発生している。
【０００３】
この様な介護においては、介護者が自らの力で被介護者を抱きかかえたり、持ち上げたり、移動したりして、ベッドの敷布の交換や入浴等をさせなければならない等、極めて労力を必要とし、老齢な介護者にはとても困難な作業である。
【０００４】
そこで、従来から起伏や寝返りの困難な要介護者をベッド、車椅子、便座、風呂等の相互間で移動させるときに、要介護者の安全等を確保し、また介護者の負担を軽減するため、挙上装置（クレーン）等を使用する方法が知られている。この挙上装置を使用する方法では、被介護者をスリングシートに載せた後、スリングシートを吊り上げるためにその周縁部等に設けられた吊り紐を挙上装置のフック部に引っ掛け、吊り上げることで使用される。もちろん、数名の介護者が吊り紐を掴んで持ち上げるなどして使用される場合もある。（例えば、特許文献１参照）。
【０００５】
しかしながら、スリングシートの吊り紐は、一般的に平たい帯状をしている。そのため、吊り紐が挙上装置のフック部に正しく引っ掛った状態ではなく、たとえば、図８（Ａ）に示すように、介護者の不注意によって吊り紐１１２がフック部Ｆの先端（爪）上に載置（係止）される不安定な状態を作り出してしまうことがある。
このような不安定な載置状態のまま挙上装置によってスリングシートを吊り上げると、図８（Ｂ）に示すように、帯状をした吊り紐に被介護者の体重が掛かり、吊り紐は下方に向かって略「く」の字状に曲折したものとなる。
【０００６】
さらに、被介護者の移動を続けると、フック部Ｆの先端上での吊り紐１１２のバランスが徐々に崩れ、フック部Ｆの先端から吊り紐１１２が次第に滑り落ちるものとなる。
そして、図８の（Ｃ）において破線矢印で示すように、吊り紐１１２がフック部Ｆの先端から外側に滑り、吊り紐１１２はフック部Ｆから外れてしまうことになる。
【０００７】
つまり、スリングシートの吊り紐１１２が挙上装置のフック部Ｆの内側に正しく引っ掛っていないと、挙上装置を用いた被介護者の移動中に吊り紐１１２がフック部Ｆから外れ、スリングシートの吊り上げ状態のバランスを崩してスリングシートから被介護者を落下させてしまう事故を引き起こす虞がある。
【０００８】
そこで、吊り紐がフック部の先端上に載置（係止）しないように、吊り紐を、その断面が円形等の立体形状をしたロープやワイヤ等とすることが考えられる。ところが、吊り紐は、スリングシートの周縁部に縫製等によって取り付けられるものであるため、平面的な帯状のものが望ましく、断面が円形等の立体形状をしたものとすると、スリングシートに対して吊り紐の端部を取り付けることが困難なものとなってしまう。
また、スリングシートを折り畳む場合、吊り紐の断面が円形等の立体形状をしたものであると、吊り紐をスリングシートの周縁部から綺麗に内側へ折り畳むことが困難であると共に、全体的に嵩張った収納し辛いものとなってしまう。
【先行技術文献】
【特許文献】
【０００９】
【特許文献１】特開２００１−８７３２４号公報
【考案の概要】
【考案が解決しようとする課題】
【００１０】
本考案は、上記事情に鑑みて成されたものであり、挙上装置のフック部の先端にスリングシートの吊り紐が載置（係止）される不安定な状態となることを解消し、スリングシートを安全に吊り上げることを可能とした技術を提供することを目的とする。
【課題を解決するための手段】
【００１１】
本考案は、被介護者を挙上装置によって移動させるときに用いられるスリングシートであって、寝たままもしくは座った状態の被介護者の背側にあてがわれる基布体と、この基布体の周縁部に複数設けられ、その一端側と他端側とが前記基布体に取り付けられることで、前記挙上装置が備えるフック部に係止可能な環状領域を形成する平たい帯状の吊り紐とからなり、前記吊り紐は、少なくとも一面側より突出する位置矯正凸部を備えることを特徴とする。
【００１２】
また、本考案のスリングシートは、前記吊り紐が、他面側より突出する位置矯正凸部をさらに備えることを特徴とする。
【００１３】
また、本考案のスリングシートは、前記位置矯正凸部が、前記吊り紐に取り付けられた基端側から突出する先端側へ向かうに従い幅が狭くなっていることを特徴とする。
【００１４】
また、本考案のスリングシートは、前記位置矯正凸部が、断面形状が略三角形状をしていることを特徴とする。
【００１５】
また、本考案のスリングシートは、前記吊り紐が、前記位置矯正凸部と一体となって断面形状が略円形状を呈するものであり、その周囲に回転自在である被覆部材を備えることを特徴とする。
【００１６】
また、本考案のスリングシートは、前記位置矯正凸部が、前記吊り紐の長さ方向に沿う一部に設けられていることを特徴とする。
【００１７】
また、本考案のスリングシートは、前記位置矯正凸部が、前記吊り紐とは異なる色彩を呈していることを特徴とする。
【００１８】
また、本考案のスリングシートは、前記位置矯正凸部が、前記吊り紐の一面側から他面側に向かって貫通することが可能な支軸部と、前記支軸部が前記吊り紐から抜け落ちないように保持する軸止と、を備え、前記支軸部と前記軸止との組み合わせまたはその解除により、前記吊り紐に対して着脱自在であることを特徴とする。
【００１９】
さらに、本考案のスリングシートは、前記吊り紐が、一面側から他面側に向かって貫通する挿通孔を備えることを特徴とする。
【考案の効果】
【００２０】
本考案のスリングシートは、吊り紐の一面側に位置矯正凸部を備えるので、この位置矯正凸部によって吊り紐の一面がフック部の先端（爪）上に載置（係止）される不安定な状態が作り出されることがなくなる。すなわち、フック部の先端上に吊り紐が配されたとしても、吊り紐は挙上装置によるスリングシートの吊り上げ開始時に、フック部の内側か外側の何れかに容易に落下するので、フック部に対する吊り紐の引っ掛け状態の適否を視覚的に容易に確認することができる。
したがって、スリングシートの吊り紐の中途半端な引っ掛け状態を解消し、挙上装置を用いた被介護者の移動中に吊り紐がフック部の外側に外れてしまう虞をなくし、安全にスリングシートを吊り上げることができる。
【００２１】
また、本考案のスリングシートは、吊り紐の他面側がフック部の先端上に配された場合であっても、位置矯正凸部がフック部の先端から突出するように全体的に露呈することで、吊り紐の係止状態の良否を視覚的に容易に判定することができる。しかも、このように吊り紐の他面側がフック部の先端上に載置された場合、位置矯正凸部をフック部の内側に向かって押し込むように指等で押圧操作することで、吊り紐は容易にフック部の内側落下し、その不安定な状態を容易に解消することが出来る。
【図面の簡単な説明】
【００２２】
【図１】本考案に係るスリングシートを示す平面（展開）図である。
【図２】図１に示すスリングシートの位置矯正凸部を説明するＩ−Ｉ線に沿う断面拡大図である。
【図３】本考案に係るスリングシートを用いたときの吊り紐の動きを順次説明する部分拡大側面図である。
【図４】本考案に係るスリングシートを用いたときの吊り紐の他の動きを順次説明する部分拡大側面図である。
【図５】本考案に係るスリングシートに取り付ける位置矯正凸部の他の構造を説明する拡大概略図である。
【図６】本考案に係るスリングシートの吊り紐の他の構造を説明する（Ａ）部分拡大側面図、（Ｂ）部分拡大平面図である。
【図７】図５に示す位置矯正凸部を図６に示す吊り紐に取り付ける方法を順次説明する部分拡大概略図である。拡大概略図である。
【図８】従来のスリングシートを用いたときの吊り紐の動きを順次説明する部分拡大側面図である。
【考案を実施するための形態】
【００２３】
以下、本考案における実施の形態の一例について、図面を参照してそれぞれ説明する。
なお、以下に述べる実施の形態は、本考案の好適な具体例であるため技術的に種々の限定が付されているが、本考案の範囲は、以下の説明において特に限定する旨の記載がない限り、これらの形態に限られるものではない。
【００２４】
本実施の形態におけるスリングシート１０は、被介護者を挙上装置によって移動させるときに用いられるものであって、図１に示すように、基布体１１と、吊り紐１２とから構成され、当該吊り紐１２は、位置矯正凸部１５を備えている。
【００２５】
ここで、図示しないが、挙上装置は、支柱に回動自在に取付けた回動スリーブと、この回動スリーブの上端部に傾動可能に設けた吊り下げバーと、吊り下げバーの先端部に設けたフック部と、回動スリーブと吊り下げバーとの間に設けたリニアアクチュエータとで構成されている。
本考案のスリングシート１０は、この挙上装置のフック部に吊り紐１２を掛止し、被介護者を乗せて吊り上げるものとなっている。
【００２６】
基布体１１は、寝たままもしくは座った状態の被介護者の背側にあてがわれ、被介護者の大腿部から背中を支えるように形成されたシート体である。
この基布体１１は、たとえば、ナイロンやポリエステル等の化学繊維製布、又はナイロン製メッシュ等により構成されている。また、基布体１１の適宜箇所には、補強帯１３が設けられており、たとえば、１００Ｋｇ以上の荷重に耐えられるように縫製されたものとなっている。
【００２７】
図１は、スリングシート１０の背面側（外側）を示すものであり、図１において、基布体１１は、少なくとも尻部を十分に覆うことができ、下方に左右の脚サポート部がそれぞれ延設された、脚分離型のスリングシートを構成するものとして示されている。なお、図中の符号１４は、介護用バンドである。
【００２８】
吊り紐１２は、その一端側と他端側とが基布体１１の周縁部に取り付けられることで、挙上装置が備えるフック部に係止可能な環状領域を形成する平たい帯状体である。
この吊り紐１２は、基布体１１の周縁部に設けられた補強帯１３を介して複数取り付けられており、これらの吊り紐１２を挙上装置が備えるフック部に取り付けることで、挙上装置によってスリングシート１０をバランス良く持ち上げ、被介護者を移動可能とするものである。
【００２９】
図１において、吊り紐１２は、基布体１１の上端左右と、左右の脚サポート部の下端とにそれぞれ、合計４つ設けられたものとして示されている。
なお、スリングシートは、通常、４〜６点で吊り上げるものとなっている。本実施の形態では、吊り紐１２は４つ設けられたものとなっているが、吊り紐１２の設置数はこれに限定されず、適宜所望の数とすることができる。
【００３０】
位置矯正凸部１５は、吊り紐１２の一面側より突出する肉厚部材であって、帯状をした吊り紐１２の一面側の平面状態を、部分的に突出した凸状態とするものである。すなわち、位置矯正凸部１５は、吊り紐１２の一面側に、吊り紐１２がフック部の先端上に載置することが不安定な状態を作り出す隆起した傾斜面を形成するようにしたものである。
この位置矯正凸部１５は、吊り紐１２の一部分、具体的には、スリングシートを吊り上げたときに荷重が掛かる支点となる、吊り紐１２の長さ方向中央領域に設けられている。
【００３１】
また、位置矯正凸部１５は、荷重が掛かっても容易に潰れてしまうことがない材料であれば特に限定されることはなく、たとえば、合成樹脂や金属等の硬質材料や、ゴム状の弾力性を有するエラストマー材料等により構成されている。
【００３２】
このような肉厚な位置矯正凸部１５は、フック部の先端に吊り紐１２が配されそうになるときに、その載置において邪魔なものとなると共に、たとえ吊り紐１２がフック部の先端に配された場合であっても、不安定な状態のものとなる。ゆえに、スリングシートを用いる者（介護者）に対して、吊り紐１２が不安定な載置（係止）状態であることの気付きを与え、吊り紐１２がフック部の先端上に載置（係止）される虞を解消するものとなる。
【００３３】
また、たとえ位置矯正凸部１５がフック部の先端上に誤って載置（係止）され、吊り紐１２の中途半端な引っ掛け状態が生じてしまったとしても、吊り紐１２は、荷重が掛かることで位置矯正凸部１５に形成された傾斜面に導かれ、フック部の内側か外側の何れかに滑り落ちることになる。ゆえに、被介護者の吊り上げの初期段階において、吊り紐１２の吊下げ状態の適否を認識し易くすることが出来るので、吊り紐の不安定な吊下げ状態が作り出されることなくなり、吊り上げ途中での被介護者の不慮の落下を防止することが出来る。
【００３４】
また、位置矯正凸部１５は、吊り紐１２に取り付けられた基端１５ａ側から突出する先端１５ｂ側へ向かうに従い幅が狭くなっていると望ましい。すなわち、位置矯正凸部１５は、図２に示すように、吊り紐１２に取り付けられた基端１５ａ側の幅ｗ１より、突出する先端１５ｂ側の幅ｗ２の方が小さくなっていると望ましい（ｗ１＞ｗ２）。
【００３５】
このような位置矯正凸部１５の形状としては、たとえば、図２に示すように、断面形状が略三角形をしたものとすることができる。この場合、突出する先端１５ｂ側が幅方向の中心に位置する二等辺三角形や正三角形のほかに、突出する先端１５ｂ側が幅方向の一方に偏って位置する鋭角三角形（不等辺三角形）や直角三角形といった形態のものとすることができる。
【００３６】
なお、断面形状が略三角形をしたときの全体形状は、突出する先端１５ｂ側が略点状となる略円錐形や略角錐形（略ピラミッド形）等のようなものや、突出する先端１５ｂ側が吊り紐の長さ方向に沿って設けられた線状となる切妻屋根形や寄棟屋根形等のようなものとすることができる。
【００３７】
図２は、図１に示すＩ−Ｉ線に沿う断面拡大図である。図２において、位置矯正凸部１５は、基端１５ａ側から先端１５ｂ側へ向かうに従い側面の幅が絞られる（狭く）なるテーパ面を有する、断面形状が二等辺三角形をしたものとして示されている。
【００３８】
このように位置矯正凸部１５の先端１５ｂ側の幅が、その基端１５ａ側の幅より狭い（小さい）形状であると、吊り紐１２に比してフック部Ｆの先端に位置矯正凸部１５が載置し難いものとすることができ、吊り紐１２がフック部Ｆの先端上に載置される不安定な状態を作り出す虞を解消することができる。
【００３９】
また、位置矯正凸部１５の側面は、基端１５ａ側から先端１５ｂ側へ向かうに従って幅が絞られる（狭く）なるテーパ状となっている。ゆえに、吊り紐１２は吊り上げの初期の段階でフック部Ｆの先端から容易に落下し、フック部Ｆへの吊り紐１２の引っ掛け状態が適切であるか否かすぐに判断することができると共に、スリングシート１０によって吊り下げられていた被介護者が落下してしまう事故を未然に防止することができる。
【００４０】
すなわち、本考案におけるスリングシート１０の吊り紐１２は、少なくとも一面側に位置矯正凸部１５を有しているので、フック部Ｆの先端上に吊り紐１２が載置される不安定な状態が作り出されてしまう虞は殆どない。
しかしながら、偶然にも、フック部Ｆの先端上に位置矯正凸部１５が載置される状態が作り出されてしまったとしても、位置矯正凸部１５は、スリングシート１０の吊り上げ作業の初期段階においてフック部Ｆの先端でバランスを崩し、フック部Ｆの内側もしくは外側の何れかに吊り紐１２は落ちることとなる。ゆえに、吊り紐１２の引っ掛け状態の適否を容易に確認することができるものとなる。
【００４１】
具体的には、図３（Ａ）に示すように、吊り紐１２の一面に設けられた位置矯正凸部１５がフック部Ｆの先端（爪）上に位置して配されたとする。
この場合、このまま挙上装置によってスリングシート１０を吊り上げると、図３（Ｂ）に示すように、位置矯正凸部１５に被介護者の体重が掛かり、位置矯正凸部１５はフック部Ｆの先端でバランスを崩すものとなる。
【００４２】
引き続き、スリングシートを吊り上げて被介護者の移動を続けると、図３の（Ｃ）において破線矢印で示すように、位置矯正凸部１５はテーパ状となっている側面に導かれてフック部Ｆの先端から安全ストッパーを押し下げて内側に滑り落ちる。
これにより、吊り紐１２はフック部Ｆ内に納まって確実に引っ掛かった状態となる。
【００４３】
また、図示しないが、位置矯正凸部１５がテーパ状となっている側面に導かれてフック部Ｆの先端から外側に落ちてしまったとしても、この場合はスリングシートの吊り上げ作業の初期段階であるので被介護者は殆ど移動しておらず、被介護者が落下して負傷してしまう虞はない。ゆえに、スリングシートの危険な吊り上げ状態をすぐに確認でき、吊り紐１２がフック部の先端から外側に落ちてしまった場合は、フック部Ｆへの吊り紐１２の引っ掛け作業をやり直すことで、容易に安全な吊り上げ状態を確保することができる。
【００４４】
一方、位置矯正凸部１５が設けられていない吊り紐１２の他面側がフック部Ｆの先端上に載置された場合でも、位置矯正凸部１５がフック部Ｆの先端から突出するように全体的に露呈することで、吊り紐１２の係止状態の良否を視覚的に容易に判定できる。
【００４５】
具体的には、図４（Ａ）に示すように、介護者の不注意によって吊り紐１２の他面側がフック部Ｆの先端（爪）上に載置される不安定な状態を作り出してしまったとする。
この場合、フック部Ｆの先端から位置矯正凸部１５が突出することが視覚的に確認できる。ゆえに、スリングシート１０の吊り上げ作業を中断し、安全な吊り上げ状態を確保する（フック部Ｆへの吊り紐１２の引っ掛け作業をやり直す）ことができる。
【００４６】
このとき、位置矯正凸部１５は、吊り紐１２とは異なる色彩を呈してものとすると望ましい。位置矯正凸部１５と吊り紐１２とが異なる色彩を呈していると、吊り紐１２の他面側がフック部Ｆの先端上に載置された場合、その色彩の視認状態によって吊り紐１２の係止状態の良否を視覚的に一層容易に判定できるものとなる。ゆえに、吊り紐１２の係止不良状態、すなわち、吊り紐１２がフック部Ｆの先端上に載置されることによる不安定な状態を一目で確認することができ、スリングシート１０から被介護者が転落してしまう虞を一層なくすことができる。
【００４７】
また、フック部Ｆへの吊り紐１２の引っ掛け状態が不安定なまま挙上装置によってスリングシート１０を吊り上げた場合、図４（Ｂ）に示すように、フック部Ｆの先端から突出する位置矯正凸部１５の側面をフック部Ｆの内側に向かって指等で押し込むように操作する。そうすると、位置矯正凸部１５はフック部Ｆの先端でバランスを崩すものとなる。
そして、図４の（Ｃ）において破線矢印で示すように、吊り紐１２はフック部Ｆの先端から内側に脱落し、吊り紐１２は不安定な吊り下げ状態を容易に解消してフック部Ｆに納まって確実に引っ掛かった状態となる。
【００４８】
また、本考案において位置矯正凸部１５は、吊り紐１２に対して着脱自在なものとすると望ましい。このような着脱自在な構造を有する位置矯正凸部１５としては、たとえば、図５のように示すように、吊り紐１２の一面側から他面側に向かって貫通することが可能な支軸部１６と、該支軸部１６が吊り紐１２から抜け落ちないように保持する軸止１７とを備えるものとし、これらの支軸部１６と軸止１７とが、互いに組み合わせたり、又はその解除をしたりすることが可能なものとすることができる。
【００４９】
図５において、支軸部１６は、吊り紐１２を貫通する略棒状体であって、外周面に螺子溝が形成されたものとして示されている。一方、軸止１７は、中心に軸受孔１８を備える略円盤状体であり、軸受孔１８の内面に、支軸部１６の外周面に形成された螺子溝と螺合可能な螺子溝が形成されたものとして示されている。
【００５０】
このように位置矯正凸部１５が吊り紐１２に対して着脱自在なものであると、スリングシート１０の汚れに応じて位置矯正凸部１５を取り外すことができ、スリングシート１０だけを洗濯することができるものとなる。
また、位置矯正凸部１５が、互いに組み合わせたり、又はその解除をしたりすることが可能な支軸部１６と軸止１７とを備えるものであると、支軸部１６と軸止１７との組み合わせやその解除によって、吊り紐１２に対する位置矯正凸部１５の取り付け作業や取り外し作業が容易に行えるものとなる。
【００５１】
また、本考案において位置矯正凸部１５を吊り紐１２に対して着脱自在なものとした場合、たとえば、図６に示すように、吊り紐１２は、一面１２ａ側から他面１２ｂ側に向かって貫通する挿通孔２０を備えるものとすると望ましい。すなわち、挿通孔２０は、位置矯正凸部１５の支軸部１６を挿通可能とするものである。
【００５２】
また、吊り紐１２に対して位置矯正凸部１５を取り付ける場合は、図７に示すように、吊り紐１２の一面１２ａ側から位置矯正凸部１５の支軸部１６を挿通し、吊り紐１２の他面１２ｂ側において軸止１７を支軸部１６に螺合することで、簡単に着脱自在に組み合わせることができる。
【００５３】
このように吊り紐１２に挿通孔２０を設けることで、吊り紐１２に対して位置矯正凸部１５を取り付ける際、位置矯正凸部１５の支軸部１６が吊り紐１２を貫通し易いものとなり、容易に位置矯正凸部１５を吊り紐１２に取り付けることができる。また、予め設けられた挿通孔２０によって、吊り紐１２に対する位置矯正凸部１５の取り付け位置が明確なものとなり、一層容易に位置矯正凸部１５を吊り紐１２に取り付けることができる。
【００５４】
なお、上記実施の形態では、断面形状が略三角形をした位置矯正凸部について説明したが、本考案の位置矯正凸部はこれに限定されるものではなく、吊り紐の一面側より突出する肉厚部材となるのであれば、たとえば、断面形状が半球形や半月形（半円形）、蒲鉾形をしたものであっても良い。
【００５５】
また、図示しないが、本考案のスリングシートは、吊り紐が位置矯正凸部と一体となって、その断面形状が略円形状を呈する肉厚なものとなるようにしても良い。すなわち、吊り紐の一面側に設けられた位置矯正凸部を当該吊り紐で包み込むように、吊り紐の長さ方向に沿う両側部を丸めて互いに接合し、断面形状が円形状となるようにするものである。
【００５６】
このように断面形状が略円形状をしたものであっても、吊り紐の長さ方向に沿って全部ではなく、その一部に設けられるのであれば、本考案と同様に、吊り紐の位置を矯正する効果を奏するものとすることができる。
【００５７】
この場合、断面形状が略円形状となるようにした吊り紐及び位置矯正凸部の周囲に、滑り易い布等の被覆部材を設け、この被覆部材が吊り紐及び位置矯正凸部の周囲を回転自在となる構造を有するものとしても良い。
【００５８】
このように吊り紐及び位置矯正凸部の周囲に回転自在となる被覆部材を設けることで、吊り紐がフック部の先端（爪）上に載置される不安定な状態を作り出してしまった場合、被覆部材が回転することによって、吊り紐の不安定な載置状態から容易に解放されるものとすることができる。また、被覆部材は、ローラーやベアリングのような構造のものとしても良い。
【００５９】
また、上記実施の形態では、吊り紐の一面側に位置矯正凸部が設けられた場合について説明したが、本考案はこれに限定されるものではなく、吊り紐の他面側にも位置矯正凸部が設けられたものであっても良い。すなわち、図示しないが、本考案のスリングシートは、吊り紐の一面側及び他面側の両面に位置矯正凸部がそれぞれ設けられたものであっても良い。
【００６０】
このように吊り紐の両面に位置矯正凸部がそれぞれ設けられることで、位置矯正凸部が設けられている側の面を気にすることなく、フック部への吊り紐の引っ掛け作業を効率良く行うことができ、より効果的に吊り紐の不安定な載置状態を作り出さないようにすることができる。
【００６１】
また、吊り紐の両面側に位置矯正凸部が設けた場合においては、吊り紐が、位置矯正凸部と一体となってその断面形状が略円形状を呈するものとなるようにしても良い。すなわち、吊り紐の片面に設けられる位置矯正凸部の断面形状を半円形とするものである。
【００６２】
このように吊り紐の表裏両面に肉厚な位置矯正凸部を設けて断面形状が円形をしたものとすることで、一層効果的に吊り紐の不安定な載置状態を作り出さないようにすることができ、吊り紐の向きを気にすることなくフック部に対する吊り紐の引っ掛け作業を行うことができる。
【００６３】
そして、この場合さらに、上述したように、断面形状が略円形状となるようにした吊り紐及び位置矯正凸部の周囲に、滑り易い布等の被覆部材を設け、この被覆部材が位置矯正凸部の周囲を回転自在となる構造を有するものとしても良い。
これにより、被覆部材が回転することによって、吊り紐の不安定な載置状態を作り出さないようにすることができる。
【００６４】
さらに、上記実施の形態では、吊り紐が脱出し難いようにするための安全ストッパーを備えるフック部を図示して説明したが、本考案の位置矯正凸部付きスリングシートは、安全ストッパーを備えていないフック部においても何ら支障なく用いることができるものである。
【符号の説明】
【００６５】
Ｆ  フック部、１０  スリングシート、１１  基布部、１２  吊り紐、１３  補強布、１４  介護用バンド、１５  位置矯正凸部、１６  支軸部、１７  軸止、１８  軸受孔、２０  挿通孔。
【図１】
0003189048.tif 000003
【図２】
0003189048.tif 000004
【図３】
0003189048.tif 000005
【図４】
0003189048.tif 000006
【図５】
0003189048.tif 000007
【図６】
0003189048.tif 000008
【図７】
0003189048.tif 000009
【図８】
0003189048.tif 000010